(57)【要約】【課題】複数の印刷終了通知を表示した場合であっても、どのデータについての印刷指示が終了したかを瞬時に確実にかつ用紙を浪費することなく判断できるようにすること。【解決手段】パーソナルコンピュータ１０から印刷データをプリンタ３０に転送すると共に、当該印刷データを所定のサイズに縮小してデータ記憶部１５に格納する。そして、プリンタ３０での前記印刷データの印刷終了後にその印刷状況の通知を受けたら、この通知された印刷状況とデータ記憶部１５に格納された縮小印刷データとから印刷終了通知画面を作成して表示部１８に表示する。又は、プリンタ３０で縮小画像データを作成してパーソナルコンピュータ１０へ送信し、パーソナルコンピュータ１０でその縮小画像データ及び印刷状況から印刷終了通知画面を作成して表示部１８に表示する。【選択図】      図４
2004199520.tif 000002
【特許請求の範囲】
【請求項１】
印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記記憶手段に格納された縮小印刷データとを表示する表示手段と、を具備した印刷終了通知装置。
【請求項２】
印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記記憶手段に格納された縮小印刷データを所定のサイズに拡大した印刷データとを表示する表示手段と、を具備した印刷終了通知装置。
【請求項３】
印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記縮小印刷データを表示するための指示欄とを表示し、前記指示欄が選択されると前記記憶手段に格納された縮小印刷データを表示する表示手段と、を具備した印刷終了通知装置。
【請求項４】
画像形成装置での印刷データの印刷終了後に印刷データを表示するか否かを設定する設定手段と、前記印刷データを前記画像形成装置に転送する転送手段と、前記印刷データ表示が設定された場合は当該印刷データを所定のサイズに縮小して格納する記憶手段と、前記画像形成装置での印刷データの印刷終了後にその印刷状況の通知を受けた際にこの通知された印刷状況と前記印刷データ表示が設定された場合は前記記憶手段に格納された縮小印刷データとを表示する表示手段と、を具備する印刷終了通知装置。
【請求項５】
前記記憶手段に格納する縮小印刷データはフロントページであることを特徴とする請求項１から請求項４のいずれかに記載の印刷終了通知装置。
【請求項６】
前記記憶手段に格納する縮小印刷データは複数のページを縮小合成したものであることを特徴とする請求項１から請求項４のいずれかに記載の印刷終了通知装置。
【請求項７】
印刷データを画像形成装置に転送する転送手段と、前記画像形成装置から印刷終了後にその印刷状況の通知と当該印刷データを所定のサイズに縮小した縮小画像データとを受け、この通知された印刷状況と縮小画像データとを表示する表示手段と、を具備した印刷終了通知装置。
【請求項８】
印刷データを画像形成装置に転送する転送手段と、前記画像形成装置から印刷終了後にその印刷状況の通知と当該印刷データを所定のサイズに縮小した縮小画像データとを受け、この通知された印刷状況と縮小画像データを所定のサイズに拡大した拡大画像データとを表示する表示手段と、を具備した印刷終了通知装置。
【請求項９】
印刷データを画像形成装置に転送する転送手段と、前記画像形成装置から印刷終了後にその印刷状況の通知と当該印刷データを所定のサイズに縮小した縮小画像データとを受け、この通知された印刷状況と前記縮小画像データを表示させるための指示欄とを表示し、前記指示欄が選択されると前記縮小画像データを表示する表示手段と、を具備した印刷終了通知装置。
【請求項１０】
画像形成装置での印刷データの印刷終了後に印刷データを表示するか否かを設定する設定手段と、前記印刷データと前記印刷データ表示が設定された場合はその情報を前記画像形成装置に転送する転送手段と、前記画像形成装置での印刷データの印刷終了後にその印刷状況の通知を受けた際にこの通知された印刷状況と転送印刷データの縮小画像データが付加されている場合には当該縮小画像データとを表示する表示手段と、を具備した印刷終了通知装置。
【請求項１１】
データ端末装置から与えられる印刷指示に基づいて印刷データの印刷を行う記録手段と、印刷終了すると前記データ端末装置に対して、印刷状況を通知すると共に前記印刷データを所定サイズに縮小した縮小画像データを送信する転送手段と、を具備した画像形成装置。
【請求項１２】
データ端末装置からの印刷指示に基づいてデータの印刷を行う記録手段と、印刷終了により印刷状況を前記データ端末装置に転送する際、前記印刷指示において当該印刷状況の転送と共に前記印刷対象のデータを付加する要求があれば、当該印刷状況の転送と共に前記印刷対象のデータを所定サイズのデータに縮小して転送する転送手段とを具備する画像形成装置。
【請求項１３】
前記データ端末装置に転送するデータはフロントページであることを特徴とする請求項１１又は請求項１２に記載の画像形成装置。
【請求項１４】
前記データ端末装置に転送するデータは複数のページを縮小合成したものであることを特徴とする請求項１１又は請求項１２に記載の画像形成装置。
【発明の詳細な説明】
【０００１】
【発明の属する技術分野】
本発明は、印刷終了通知を行う印刷終了通知装置及び当該印刷終了通知装置を備えた画像形成装置に関するものである。
【０００２】
【従来の技術】
従来、パソコン上のデータをプリンタから印刷するシステムでは、パソコンからプリンタに印刷指示を出すと、印刷指示ごとに所定のシリアルナンバーを付与して印刷を実行し、印刷が終了するとこのプリンタからの印刷終了通知を受けてパソコンのディスプレイ上に所定のＩＤ番号とその旨を表示して印刷出力が終了したことを知らせるものがあった（例えば特許文献１参照）。これにより、印刷指示者は席に居たままで、席から離れた所にあるプリンタで印刷出力が終了したことを知ることができた。
【０００３】
また、ファクシミリ装置を用いたデータ送受信の場合は、送信が終了した時点で送信側のファクシミリ装置において送信状況と送信データの内容（原稿データの１ページ目の内容）とを印刷出力してデータ送信が終了したことを知らせるものがあった（例えば特許文献２参照）。これにより、データ送信者は遠隔地にあるファクシミリ装置でデータの受信が終了したことを知ることができ、また数種類の原稿データを送信した場合でもその種類ごと原稿データの終了状況を知ることができた。
【０００４】
【特許文献１】
特開平１１−３２１０３４号公報（第１１−１２頁、第３図）
【特許文献２】
特開平９−２００４７３号公報（第５−６頁、第図７及び第図９）
【０００５】
【発明が解決しようとする課題】
しかし、かかる従来の技術では、以下のような問題があった。
【０００６】
即ち、従来のパソコンからプリンタに指示した印刷の印刷終了通知の内容は、プリンタ名、印刷開始時間、印刷終了時間、エラーか否かなどの情報と当該印刷データを示すシリアルナンバーとから構成されていた。そのため、印刷指示が少数の場合は、この情報だけでどのデータについての印刷指示が終了したのかを容易に判別できたが、印刷指示が多数になるとこの情報だけでは、シリアルナンバーから印刷データの内容を容易に認識できないためどのデータについての印刷指示が終了したのかを即座に判別できないという問題があった。
【０００７】
また、従来のファクシミリ装置における送信終了通知の内容は、送信先名、送信開始時間、送信終了時間、エラーか否かなどの情報と当該送信データの内容とから構成されていた。そのため、印刷指示が多数の場合でもこの情報から印刷データの内容を容易に認識できどのデータについての印刷指示が終了したのかを即座に判別できるが、１ページ分の用紙が消費されてしまうという問題があった。
【０００８】
そこで、本発明は、以上のような実情に鑑みて成されたものであって、複数の印刷終了通知を表示した場合であっても、どのデータについての印刷指示が終了したかを瞬時に確実にかつ用紙を浪費することなく判断できる印刷終了通知装置及び画像形成装置を提供することを目的とする。
【０００９】
【課題を解決するための手段】
上記課題を解決するために、印刷データを画像形成装置に転送すると共に、当該印刷データを所定のサイズに縮小して格納しておき、前記画像形成装置での前記印刷データの印刷終了後にその印刷状況の通知を受けたら、この通知された印刷状況と前記格納された縮小印刷データとを一画面に表示する。又は、画像形成装置で縮小画像データを作成して送信してきたら、その縮小画像データ及び印刷状況を一画面に表示する。
【００１０】
【発明の実施の形態】
本発明の第１の態様は、印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記記憶手段に格納された縮小印刷データとを表示する表示手段と、を具備した印刷終了通知装置である。
【００１１】
以上のように構成された印刷終了通知装置によれば、印刷状況を示す通知が画像形成装置名などの情報のみだけではなく、前記通知に対応するデータを表示させることにより、ユーザーは通知のみではなく印刷対象のデータを見て確認できるので、複数の通知があった場合であっても、どのデータに対応する通知かを瞬時に確実にかつ用紙を浪費することなく判断できる。また、表示するデータは所定のサイズに縮小して格納するので記憶手段の記憶容量を削減することができる。さらに、表示手段にも所定のサイズに縮小されたデータを表示するのでユーザーが表示手段上で作業中であっても作業を妨害することもない。なお、画像形成装置は印刷状況を印刷終了通知装置に通知するだけなので既存の画像形成装置を印刷終了通知装置に接続して実現することができる。
【００１２】
本発明の第２の態様は、印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記記憶手段に格納された縮小印刷データを所定のサイズに拡大した印刷データとを表示する表示手段と、を具備した印刷終了通知装置である。
【００１３】
以上のように構成された印刷終了通知装置によれば、表示するデータは所定のサイズに縮小して格納するので、記憶手段の記憶容量を削減することができる。また、表示手段には所定のサイズに縮小されたデータを所定のサイズに拡大して表示するので、印刷したデータの内容が確実かつ明瞭に確認できる。
【００１４】
本発明の第３の態様は、印刷データを画像形成装置に転送する転送手段と、当該印刷データを所定のサイズに縮小して格納する記憶手段と、前記画像形成装置での前記印刷データの印刷終了後にその印刷状況の通知を受け、この通知された印刷状況と前記縮小印刷データを表示するための指示欄とを表示し、前記指示欄が選択されると前記記憶手段に格納された縮小印刷データを表示する表示手段と、を具備した印刷終了通知装置である。
【００１５】
以上のように構成された印刷終了通知装置によれば、これら指示欄の選択により必要に応じてデータを表示させることにより、データ表示の必要がない場合には通知のみの表示とすることができるので、通知が少数で通知のみでどのデータの印刷状況か判断できる場合にまで、一律にデータを開かせることはなく、データの表示処理のために毎回、前記通知の表示処理に時間がかかるのを防止できる。
【００１６】
本発明の第４の態様は、画像形成装置での印刷データの印刷終了後に印刷データを表示するか否かを設定する設定手段と、前記印刷データを前記画像形成装置に転送する転送手段と、前記印刷データ表示が設定された場合は当該印刷データを所定のサイズに縮小して格納する記憶手段と、前記画像形成装置での印刷データの印刷終了後にその印刷状況の通知を受けた際にこの通知された印刷状況と前記印刷データ表示が設定された場合は前記記憶手段に格納された縮小印刷データとを表示する表示手段と、を具備する印刷終了通知装置である。
【００１７】
以上のように構成された印刷終了通知装置によれば、印刷設定において前記印刷状況の通知にデータを付加するか否かを設定することにより、必要な場合のみ前記通知にデータを付加することができるので、印刷状況の通知をする毎に一律にデータを表示させる負担を軽減できる。
【００１８】
本発明の第５の態様は、第１から第４のいずれかの態様の印刷終了通知装置において、前記記憶手段に格納する縮小印刷データはフロントページとした。
【００１９】
これにより、前記記憶手段に格納するデータをフロントページのみとすることにより、格納するデータの容量を削減するので、記憶手段の記憶容量を削減することができる。
【００２０】
本発明の第６の態様は、第１から第４のいずれかの態様の印刷終了通知装置において、前記記憶手段に格納する縮小印刷データは複数のページを縮小合成したものである。
【００２１】
これにより、前記記憶手段に格納するデータを複数のページを縮小合成したものとすることにより、１頁がカバーレターなどで特徴のないデータの場合であっても、可能な限り多くのデータが表示されるので、どのデータに対応する印刷状態かを瞬時に確実に判断できる。
【００２２】
本発明の第７の態様は、印刷データを画像形成装置に転送する転送手段と、前記画像形成装置から印刷終了後にその印刷状況の通知と当該印刷データを所定のサイズに縮小した縮小画像データとを受け、この通知された印刷状況と縮小画像データとを表示する表示手段と、を具備した印刷終了通知装置である。
【００２３】
以上のように構成された印刷終了通知装置によれば、印刷状況を示す通知が画像形成装置名などの情報のみだけではなく、前記通知に対応するデータを表示させることにより、ユーザーは通知のみではなく印刷対象のデータを見て確認できるので、複数の通知があった場合であっても、どのデータに対応する通知かを瞬時に確実にかつ用紙を浪費することなく判断できる。また、表示手段には所定のサイズに縮小されたデータを表示するのでユーザーが表示手段上で作業中であっても作業を妨害することもない。さらに、印刷終了通知装置に縮小画像データを格納するための記憶手段を設ける必要がないので、印刷終了通知装置の回路を削減できる。
【００２４】
本発明の第８の態様は、印刷データを画像形成装置に転送する転送手段と、前記画像形成装置から印刷終了後にその印刷状況の通知と当該印刷データを所定のサイズに縮小した縮小画像データとを受け、この通知された印刷状況と縮小画像データを所定のサイズに拡大した拡大画像データとを表示する表示手段と、を具備した印刷終了通知装置である。
【００２５】
以上のように構成された印刷終了通知装置によれば、表示手段には所定のサイズに縮小されたデータを所定のサイズに拡大して表示するので、印刷したデータの内容が確実かつ明瞭に確認できる。
【００２６】
本発明の第９の態様は、印刷データを画像形成装置に転送する転送手段と、前記画像形成装置から印刷終了後にその印刷状況の通知と当該印刷データを所定のサイズに縮小した縮小画像データとを受け、この通知された印刷状況と前記縮小画像データを表示させるための指示欄とを表示し、前記指示欄が選択されると前記縮小画像データを表示する表示手段と、を具備した印刷終了通知装置である。
【００２７】
以上のように構成された印刷終了通知装置によれば、これら指示欄の選択により必要に応じてデータを表示させることにより、データ表示の必要がない場合には通知のみの表示とすることができるので、通知が少数で通知のみでどのデータの印刷状況か判断できる場合にまで、一律にデータを開かせることはなく、データの表示処理のために毎回、前記通知の表示処理に時間がかかるのを防止できる。
【００２８】
本発明の第１０の態様は、画像形成装置での印刷データの印刷終了後に印刷データを表示するか否かを設定する設定手段と、前記印刷データと前記印刷データ表示が設定された場合はその情報を前記画像形成装置に転送する転送手段と、前記画像形成装置での印刷データの印刷終了後にその印刷状況の通知を受けた際にこの通知された印刷状況と転送印刷データの縮小画像データが付加されている場合には当該縮小画像データとを表示する表示手段と、を具備した印刷終了通知装置である。
【００２９】
以上のように構成された印刷終了通知装置によれば、印刷設定において前記印刷状況の通知にデータを付加するか否かを設定することにより、必要な場合のみ前記通知にデータを付加することができるので、印刷状況の通知をする毎に一律にデータを表示させる負担を軽減できる。
【００３０】
本発明の第１１の態様は、データ端末装置から与えられる印刷指示に基づいて印刷データの印刷を行う記録手段と、印刷終了すると前記データ端末装置に対して、印刷状況を通知すると共に前記印刷データを所定サイズに縮小した縮小画像データを送信する転送手段と、を具備した画像形成装置である。
【００３１】
以上のように構成された画像形成装置によれば、印刷状況を前記端末装置に転送する際、前記印刷対象のデータをも併せて転送することにより、端末装置においては前記通知のみならず対象のデータをも併せて表示できるので、ユーザーはどのデータの印刷状況かを瞬時に容易に判断できる。
【００３２】
本発明の第１２の態様は、データ端末装置からの印刷指示に基づいてデータの印刷を行う記録手段と、印刷終了により印刷状況を前記データ端末装置に転送する際、前記印刷指示において当該印刷状況の転送と共に前記印刷対象のデータを付加する要求があれば、当該印刷状況の転送と共に前記印刷対象のデータを所定サイズのデータに縮小して転送する転送手段とを具備する画像形成装置である。
【００３３】
以上のように構成された画像形成装置によれば、印刷指示において印刷状況の転送と共に印刷対象のデータを付加する要求がある場合にのみ、当該印刷状況の転送と共に前記印刷対象のデータを所定サイズのデータに縮小して転送することにより、データ端末装置の要求に応じて縮小画像データを付加するか否かを決定できるので、印刷状況の通知をする際の画像形成装置の負荷を低減できる。
【００３４】
本発明の第１３の態様は、第１１又は第１２の態様の画像形成装置において、前記データ端末装置に転送するデータはフロントページとした。
【００３５】
これにより、データ端末装置に転送するデータをフロントページのみとすることにより、転送するデータの容量を削減するので、データを転送する時間を削減し処理の高速化を実現できる。
【００３６】
本発明の第１４の態様は、第１１又は第１２の態様の画像形成装置において、前記データ端末装置に転送するデータは複数のページを縮小合成したものとした。
【００３７】
これにより、データ端末装置に転送するデータを複数のページを縮小合成したものとすることにより、１頁がカバーレターなどで特徴のないデータの場合であっても、データ端末装置側に可能な限り多くのデータが表示されるので、データ端末装置側でどのデータに対応する印刷状態かを瞬時に確実に判断できる。
【００３８】
以下、本発明の印刷終了通知装置及び画像形成装置が適用された印刷終了通知システムに関する実施の形態について図面を参照して具体的に説明する。
【００３９】
（実施の形態１）
図１は実施の形態１に係る印刷終了通知システムのネットワーク構成を示す図である。印刷の依頼元となるパーソナルコンピュータ１０がローカルエリアネットワーク（ＬＡＮ）２０を介してプリンタ３０に印刷データを送信してプリントアウトできるように構成されている。パーソナルコンピュータ１０は、プリンタ３０に対応したプリンタドライバと終了通知プログラムがインストールされている。このプリンタドライバは、指定されているプリンタ３０との間で予め決められた手順を実行し、印刷データを転送するプログラムである。終了通知プログラムは印刷終了通知を受け取り、後述する表示処理を行うようにコンピュータに命令を与えるプログラムである。プリンタ３０は、画像形成装置の一つであり、パーソナルコンピュータ１０から受信した印刷データを印刷出力すると共に印刷終了通知を送信する機能を持つ。
【００４０】
図２はパーソナルコンピュータ１０の機能構成を示すブロック図である。同図に示すように、主制御部１１が内部バス１２を介して表示制御部１３、操作制御部１４、データ記憶部１５、画像処理部１６、転送部１７に接続されている。主制御部１１は、ＣＰＵで構成されている。このＣＰＵがＲＯＭ等に格納されている各種プログラムを読込んで実行することで各種の機能が実現される。表示制御部１３は、主制御部１１からの命令を受けて表示部１８にデータを表示させる処理を実行する。本例では、印刷終了後に印刷終了通知画面を表示させる。操作制御部１４は、操作部１９から入力される信号を主制御部１１へ入力する制御を行っている。プリンタドライバの起動等のオペレータの指示を入力する処理を実行する。データ記憶部１５は、例えばＲＡＭで構成された記憶媒体であり、例えば印刷データが格納される。なお、図２にはプログラムデータを格納するためのＲＯＭで構成された記憶媒体は図示されていない。画像処理部１６は、画像を縮小拡大する画像処理を加える部分である。転送部１７は、ローカルエリアネットワーク２０との間のインターフェース部分であり、主制御部１１から渡される印刷データに宛先を付けてローカルエリアネットワーク２０上へ送出したり、ローカルエリアネットワーク２０上を流れるデータを取り込んで主制御部１１へ渡す処理を実行する。
【００４１】
図３はプリンタ３０の機能構成を示すブロック図である。同図に示すように、制御部３１が内部バス３２を介してデータ格納部３３、記録部３４、転送部３５に接続されている。制御部３１は、ＣＰＵで構成されている。このＣＰＵがＲＯＭ等の記憶媒体に格納されたプログラムを実行する形式で各種の制御を実現している。本例では、制御部３１が印刷終了通知に関するプログラムを実行することで後述する印刷終了通知をパーソナルコンピュータ１０へ送信する機能を実現する。データ格納部３３は、ネットワーク経由で受信した印刷データをそのままバッファリングする部分である。記録部３４は、印刷データを記録紙等に印刷する部分である。転送部３５は、ローカルエリアネットワーク２０上を流れる印刷データをデータ格納部３３へ書き込むために取り込んだり、印刷終了通知に宛先を付けてローカルエリアネットワーク２０上に送出する。
【００４２】
次に、以上のように構成された印刷終了通知システムの動作内容について、図４のフロー図を参照して説明する。
【００４３】
図４はパーソナルコンピュータ１０が印刷依頼を発生してからプリンタ３０が印刷状況データを送信してパーソナルコンピュータ１０が画像表示するまでの処理内容を示すフロー図である。先ず、パーソナルコンピュータ１０において、文書作成ソフトを立ち上げてプリンタドライバで印刷対象データを作成する（ステップＳ１００）。印刷データはイメージデータの形式でデータ記憶部１５に格納される。文書作成ソフトで作成された文書データを印刷データに変換する方式としてはＧＤＩが知られている。但し、本発明はＧＤＩ方式に限定されるものではない。また、本発明において、印刷データはパーソナルコンピュータ１０で作成したものに限定されるものではなく、パーソナルコンピュータ１０からプリンタ３０に印刷依頼する各種データが印刷データに含まれる。
【００４４】
操作部１９から文書を指定して印刷指示が入力されると、パーソナルコンピュータ１０においてプリンタドライバが起動される。プリンタドライバは、主制御部１１が所定のプログラムを読み込んで実行することで実現される機能であるので、主制御部１１を説明の便宜上、機能主体として説明する。
【００４５】
主制御部１１は、画像処理部１６に対して、データ記憶部１５に格納された印刷データのフロント頁のビットイメージデータを縮小処理するように命令する。主制御部１１は、画像処理部１６がフロント頁のビットイメージデータを縮小処理して縮小画像データを生成したら、その縮小画像データをデータ記憶部１５の所定領域に格納する（ステップＳ１０１）。このとき、データ記憶部１５に格納した縮小画像データを識別する識別情報を付加して一緒に保存する。
【００４６】
主制御部１１は、上記ステップＳ１０１で縮小画像データの格納が完了したら又は縮小画像データの生成と並行して、データ記憶部１５に格納されている印刷データをプリンタ３０へ転送するように転送部１７に対して命令する。転送部１７は、データ記憶部１５に格納されている印刷データを、ローカルエリアネットワーク２０のプロトコルに従ったデータ形式に変換し、プリンタ３０を宛先としてローカルエリアネットワーク２０上に送出する（ステップＳ１０２）。このとき、プリンタ３０に対して当該印刷データの識別情報も送信する。例えば、印刷データには上記識別情報を付加して送信するが、個別に送信するようにしても良い。
【００４７】
プリンタ３０は、転送部３５がローカルエリアネットワーク２０上を流れるデータをモニタしている。転送部３５は、プリンタ３０が宛先となっているデータを検出すると、当該データを取り込んでデータ格納部３３へ格納していく（ステップＴ１００）。
【００４８】
制御部３１は、受信データがあるとデータ格納部３３に格納された受信データを解析する。制御部３１は、印刷指示を含んだデータ（印刷データ）が受信されると（ステップＴ１０１）、記録部３４にデータ格納部３３に格納された印刷データを印刷処理するように命令する。記録部３４は、データ格納部３３から印刷データを読込んで記録紙に画像を形成する記録動作を実行する（ステップＴ１０２）。そして、１つの印刷ジョブとして指定された印刷データの記録動作が完了すると、印刷状況データを作成する（ステップＴ１０３）。
【００４９】
プリンタ３０では、記録動作が正常に終了する場合やメカニカルなトラブル、その他の理由で異常終了する場合などがある。制御部３１は、プリンタ名、ファイル名、ジョブ番号、印刷年月日、正常終了、異常終了、印刷枚数等のデータから印刷状況データを生成する。なお、印刷状況データは、上記データ項目に限定されるものではなく、プリンタ３０での印刷状況が判明するデータであれば任意に決めることができる。
【００５０】
制御部３１は、ステップＴ１０３で作成した印刷状況データと当該印刷ジョブについてパーソナルコンピュータ１０から送られてきた識別情報とを、パーソナルコンピュータ１０へ送信するように転送部３５に命令する。転送部３５は、（印刷状況データ＋識別情報）を、ローカルエリアネットワーク２０のプロトコルに従ったデータ形式に変換し、パーソナルコンピュータ１０を宛先としてローカルエリアネットワーク２０上に送出する（ステップＴ１０４）。これが印刷状況通知となる。
【００５１】
一方、パーソナルコンピュータ１０では、ローカルエリアネットワーク２０上を流れるデータをモニタしている。転送部１７は、パーソナルコンピュータ１０を宛先としたデータを取り込んでデータ記憶部１５に格納する。ローカルエリアネットワーク２０上に送出された（印刷状況データ＋識別情報）は転送部１７によって取り込まれてデータ記憶部１５に格納される（ステップＱ１００）。
【００５２】
主制御部１１は、データ記憶部１５に格納されたデータを解析し印刷状況データが受信されたか否かチェックする（ステップＱ１０１）。ステップＱ１０１の判定の結果、印刷状況データが受信されている場合は、その印刷状況データに付けられている識別情報を認識し、同一識別情報が付された縮小画像データをデータ記憶部１５から検索する（ステップＱ１０２）。そして、主制御部１１は、所定の項目から構成される印刷状況と検索した縮小画像データからなる印刷終了通知画面を表示するように表示制御部１３に命令する。表示制御部１３は、受信した印刷状況データと検索した縮小画像データとからなる印刷終了通知画面を、表示部１８に表示させる（ステップＱ１０３）。
【００５３】
図５に印刷終了通知画面の構成例を示す。同図に示すように、「終了通知」のタイトル２１の下に、プリンタ名、ファイル名、ジョブ番号、印刷年月日、印刷枚数、印刷状況からなる印刷状況データ２２が表示され、その下に確保された印刷データの表示エリア２３にフロント頁の縮小画像データが表示される。
【００５４】
また、図６に示すように、印刷終了通知画面内における印刷データの表示エリア２３に複数頁の縮小画像を一覧表示させるようにしても良い。図６の印刷終了通知画面を表示させる場合、図４のステップＳ１０１において、フロント頁だけでなく複数頁に亘りビットイメージデータを縮小処理して縮小画像データを格納しておくことになる。そして、図４のステップＱ１０３において、印刷データの表示エリア２３に複数頁の縮小画像データが入るように配置して表示する。
【００５５】
また、縮小画像データは印刷データの一部又は全部であれば何頁を縮小画像データとして表示してもよい。さらに、頁概念の無い印刷データであれば任意の領域だけを切り出して縮小画像を生成し、印刷終了通知画面に表示させるように構成することもできる。
【００５６】
主制御部１１は、印刷終了通知画面を閉じる操作が行われると、縮小画像データを格納していた記憶領域を開放して上書き可能な状態にする。
【００５７】
このように本実施の形態によれば、印刷状況を示す通知がプリンタ名などの情報のみだけではなく、通知に対応する縮小画像データを表示させることにより、ユーザーは通知のみではなく印刷対象のデータを見て確認できるので、複数の通知があった場合であっても、どのデータに対応する通知かを瞬時に確実にかつ用紙を浪費することなく判断できる。
【００５８】
また、表示する縮小画像データは所定のサイズに縮小してデータ記憶部１５に格納するので、データ記憶部１５の記憶容量を削減することができる。
【００５９】
さらに、表示部１８にも所定のサイズに縮小された縮小画像データを表示するので、ユーザーが表示部１８上で作業中であっても作業を妨害することもないといった効果を奏する。
【００６０】
また、データ記憶部１５に記憶する縮小画像データをフロント頁のみとする場合は、格納するデータの容量を削減でき、データ記憶部１５の記憶容量を削減することができる。
【００６１】
また、図６に示すようにデータ記憶部１５に格納する縮小画像データを複数頁とした場合には、１頁がカバーレターなどで特徴のないデータの場合であっても、可能な限り多くのデータが表示されるので、どのデータに対応する印刷状態かを瞬時に確実に判断できる効果がある。
【００６２】
（実施の形態２）
次に、本発明の実施の形態２に係る印刷終了通知システムついて説明する。なお、本印刷終了通知システムのネットワーク構成は図１に示す通りであり、パーソナルコンピュータ１０は図２に示す構成であり、プリンタ３０は図３に示す構成であるものとして説明する。
【００６３】
本実施の形態に係る印刷終了通知システムは、印刷終了通知画面に縮小画像ではなくて、拡大画像データを表示できるようにした例である。
【００６４】
パーソナルコンピュータ１０の画像処理部１６は、ビットイメージデータを縮小する機能に加えて、ビットイメージデータを拡大する機能も備える。この画像処理部１６の拡大機能を使用して、一度縮小した縮小画像データを拡大してから拡大画像データとして表示する。
【００６５】
次に、以上のように構成された本実施の形態に係る印刷終了通知システムの動作内容について説明する。
【００６６】
図７は、パーソナルコンピュータ１０が印刷依頼を発生してからプリンタ３０が印刷状況データを送信してパーソナルコンピュータ１０が画像表示するまでの処理内容を示すフロー図である。なお、前述した図４のフロー図と同一処理となるステップには同じステップ番号を付している。
【００６７】
本実施の形態は、パーソナルコンピュータ１０で縮小画像データを格納して印刷データをプリンタ３０へ送信し、プリンタ３０から印刷状況データを受信して縮小画像データを検索するまでの処理は、上記実施の形態１と同じである。パーソナルコンピュータ１０では、ステップＱ１０２の処理で縮小画像データが検索されると、主制御部１１が画像処理部１６に指示して、当該縮小画像データを拡大する処理を実行する（ステップＱ２００）。そして、印刷状況データと拡大画像データとからなる印刷終了通知画面を表示部１８に表示させる（ステップＱ２０１）。
【００６８】
図８は印刷終了通知画面の構成例を示している。同図に示すように、印刷データの表示エリア２３には縮小画像データから所定サイズに拡大した拡大画像データが表示される。
【００６９】
このような本実施の形態によれば、表示部１８に表示する頁の画像データ（印刷データ）は所定のサイズに縮小して格納するので、データ記憶部１５の記憶容量を削減することができる。また、表示部１８には所定のサイズに縮小されたデータを所定のサイズに拡大して表示するので、印刷したデータの内容が確実かつ明瞭に確認できる。
【００７０】
（実施の形態３）
本発明の実施の形態３に係る印刷終了通知システムついて説明する。なお、本印刷終了通知システムのネットワーク構成は図１に示す通りであり、パーソナルコンピュータ１０は図２に示す構成であり、プリンタ３０は図３に示す構成であるものとして説明する。
【００７１】
本実施の形態に係る印刷終了通知システムは、必ず印刷終了通知画面に縮小画像データを表示するのではなく、縮小画像データの表示の有無をオペレータが任意に設定できるようにした例である。
【００７２】
パーソナルコンピュータ１０は、図９に示す印刷設定の画面を表示させて、印刷終了通知画面に縮小画像データを表示させるか否かをオペレータの設定操作によって決定するように構成している。図９に示すように、印刷設定を行う画面に「画像あり」「画像なし」のボタン４１、４２を設けて、オペレータが操作部１９からポインティングデバイスを使っていずれかを選択する。「画像あり」のボタン４１が選択されると、縮小画像データを印刷終了通知画面に表示することが選択され、「画像なし」のボタン４２が選択されると、縮小画像データを印刷終了通知画面に表示しないことが選択される。図１０は「画像なし」のボタン４２が選択された場合の印刷終了通知画面である。印刷設定の画面にて設定された情報は印刷設定情報としてパーソナルコンピュータ１０に保持される。主制御部１１は、プリンタドライバが起動されると上記印刷設定情報を確認して印刷ジョブを生成する。
【００７３】
図１１はパーソナルコンピュータ１０が印刷依頼を発生してからプリンタ３０が印刷状況データを送信してパーソナルコンピュータ１０が画像表示するまでの処理内容を示すフロー図である。なお、前述した図４のフロー図と同一処理となるステップには同じステップ番号を付している。
【００７４】
ステップＳ１００において、印刷データが指定されて印刷データの用意が完了すると、主制御部１１は印刷設定情報を読込んで「画像あり」が設定されているか否か判定する（ステップＳ３００）。「画像あり」が設定されている場合は、前述したようにステップＳ１０１に進んで縮小画像データを作成・保存した後に印刷データの転送処理へ移行するが（ステップＳ１０２）、「画像なし」が設定されている場合は、ステップＳ１０１の処理をスキップして印刷データの転送処理へ移行する。
【００７５】
プリンタ３０では、パーソナルコンピュータ１０から印刷データを受信すると（ステップＴ１００、Ｔ１０１）、印刷データを記録し（ステップＴ１０２）、印刷状況データを作成し（ステップＴ１０３）、印刷状況通知を転送する（ステップＴ１０４）。
【００７６】
パーソナルコンピュータ１０では、プリンタ３０から印刷状況通知を受信すると（ステップＱ１００、Ｑ１０１）、主制御部１１が印刷設定情報を確認して「画像あり」が設定されているか否か判定する（ステップＱ２１０）。「画像あり」が設定されている場合は、印刷データの送信時に縮小画像データをデータ記憶部１５に保存しているので、識別情報に基づいてデータ記憶部１５から該当する縮小画像データを取り出し（ステップＱ１０２）、印刷状況及び縮小画像データが表示された印刷終了通知画面（図５，図６）を表示する（ステップＱ１０３）。また、ステップＱ２１０の判定で「画像なし」が設定されていた場合は、図１０に示すように縮小画像データを含まない印刷終了通知画面を表示させる（ステップＱ２１１）。
【００７７】
このように本実施の形態によれば、印刷終了通知画面に印刷データの画像データを付加するか否かをオペレータが設定できるようにしたので、オペレータは必要な場合にのみ印刷終了通知画面に印刷データの画像データを表示させることができ、印刷状況の通知をする度に一律に画像を表示させる負担を軽減できる。
【００７８】
（実施の形態４）
本発明の実施の形態４に係る印刷終了通知システムついて説明する。なお、本印刷終了通知システムのネットワーク構成は図１に示す通りであり、パーソナルコンピュータ１０は図２に示す構成であり、プリンタ３０は図３に示す構成であるものとして説明する。
【００７９】
本実施の形態に係る印刷終了通知システムは、印刷終了通知画面に画像表示ボタンを設けてオペレータが選択したときだけ画像データを表示するようにした例である。
【００８０】
図１２に画像データ表示前の印刷終了通知画面の構成例を示す。同図に示すように、印刷終了通知画面の印刷状況データのみを示す画面中に、指示欄となる画像表示ボタン４３を設けている。主制御部１１は、画像表示ボタン３３が選択された時点で縮小画像データを検索する。画像表示ボタン４３が選択されると、図５，図６又は図８に示すように印刷終了通知画面の表示エリア２３に画像データを表示させる。
【００８１】
図１３はパーソナルコンピュータ１０が印刷依頼を発生してからプリンタ３０が印刷状況データを送信してパーソナルコンピュータ１０が画像表示するまでの処理内容を示すフロー図である。なお、前述した図４のフロー図と同一処理となるステップには同じステップ番号を付している。
【００８２】
ステップＳ１００において、印刷データが指定されて印刷データの用意が完了すると、縮小画像データを作成・保存した後（ステップＳ１０１）に、印刷データの転送処理へ移行する（ステップＳ１０２）。
【００８３】
プリンタ３０では、パーソナルコンピュータ１０から印刷データを受信すると（ステップＴ１００、Ｔ１０１）、印刷データを記録し（ステップＴ１０２）、印刷状況データを作成し（ステップＴ１０３）、印刷状況通知を転送する（ステップＴ１０４）。
【００８４】
パーソナルコンピュータ１０では、プリンタ３０から印刷状況通知を受信すると（ステップＱ１００、Ｑ１０１）、図１２に示す印刷終了通知画面を表示させる（ステップＱ２２０）。まだ画像が表示されていない印刷終了通知画面において画像表示ボタン４３が選択されたことが検知されると（ステップＱ２２１）、該当する縮小画像データをデータ記憶部１５から検索し（ステップＱ１０２）、図５に示す縮小画像データが含まれた印刷終了通知画面を表示させる（ステップＱ１０３）。
【００８５】
このように本実施の形態によれば、終了通知画面に画像表示ボタンを設けてオペレータが選択したときだけ画像データを表示するようにしたので、画像データ表示の必要がない場合には印刷状況データのみの表示とすることができるので、通知が少数で通知のみでどのデータの印刷状況か判断できる場合にまで、一律に画像データを開かせることはなく、データ表示処理のために毎回、前記通知の表示処理に時間がかかるのを防止できる。
【００８６】
なお、表示エリア２３に表示する画像データは縮小画像データに限定されるものではなく、複数の縮小画像データであっても良いし、上記実施の形態２と組合せれば拡大画像データを表示させることもできる。
【００８７】
（実施の形態５）
本発明の実施の形態５に係る印刷終了通知システムついて説明する。なお、本印刷終了通知システムのネットワーク構成は図１に示す通りであり、パーソナルコンピュータ１０は図２に示す構成である。プリンタ３０は、前述した構成に加えて縮小画像データを生成する機能を備える。本実施の形態では、図１４に示すように、画像処理部５１を備えることで印刷データの縮小処理を実現するものとする。
【００８８】
本実施の形態に係る印刷終了通知システムは、印刷データを受信したプリンタ３０において縮小画像データを作成し、パーソナルコンピュータ１０がプリンタ３０から受信した縮小画像データを用いて印刷終了通知画面を作成するようにした例である。
【００８９】
図１５はパーソナルコンピュータ１０が印刷依頼を発生してからプリンタ３０が印刷状況データを送信してパーソナルコンピュータ１０が画像表示するまでの処理内容を示すフロー図である。
【００９０】
パーソナルコンピュータ１０においてオペレータが文書を指定して印刷依頼を発生すると、主制御部１１によりプリンタドライバが起動され、指定文書から印刷データが作成される（ステップＳ４００）。本例では、印刷データはＧＤＩ方式でビットイメージデータ形式に展開しても良いし、ＰＣ、ＰＣＬ等のコードデータ形式に変換しても良い。主制御部１１が、印刷データをプリンタ３０に適合した形式に変換した後、プリンタ３０へ転送する（ステップＳ４０１）。
【００９１】
プリンタ３０では、パーソナルコンピュータ１０から送信された印刷データをローカルエリアネットワーク２０経由で受信する（ステップＴ４００、Ｔ４０１）。ＧＤＩ方式の場合であれば例えば圧縮されているビットイメージデータを伸張する処理を実行する。またコードデータ形式の場合であればデータ解析して記録部３４に適合したビットイメージデータに変換した印刷データを生成する。生成した印刷データは記録部３４で画像形成されてプリントアウトされるが（ステップＴ４０２）、一方で例えばフロント頁のビットイメージデータを画像処理部５１で縮小処理して縮小画像データを作成する（ステップＴ４０３）。
【００９２】
プリンタ３０において、今回のジョブとして受信した全ての印刷データの印刷が終了すると、印刷状況データの作成が行われる（ステップＴ４０４）。印刷状況データの内容は前述した各実施の形態と同じである。ステップＴ４０３で作成した縮小画像データとステップＳ４０４で作成した印刷状況データとを転送部３５からパーソナルコンピュータ１０へ転送する（ステップＴ４０５）。
【００９３】
パーソナルコンピュータ１０では、転送部１７が縮小画像データと印刷状況データとを受信し（ステップＱ４００）、状況通知であることを認識すると（ステップＱ４０１）、受信した縮小画像データと印刷状況データとから例えば図５に示す印刷終了通知画面を作成して表示部１８に表示する（ステップＱ４０２）。このような実施の形態によれば、パーソナルコンピュータ側に縮小画像データを格納するための記憶手段を設ける必要がないので、パーソナルコンピュータ側の回路を削減できる。なお、プリンタ３０でフロント頁以外を縮小画像データとして送信してきた場合も同様に印刷終了通知画面に表示させることができる。また、プリンタ３０で複数頁の縮小画像データを作成して送信してきた場合は、図６に示す印刷終了通知画面を作成して表示することもできる。
【００９４】
（実施の形態６）
本発明の実施の形態６に係る印刷終了通知システムついて説明する。なお、本印刷終了通知システムのネットワーク構成は図１に示す通りであり、パーソナルコンピュータ１０は図２に示す構成であり、プリンタ３０は図１４に示す構成である。
【００９５】
本実施の形態に係る印刷終了通知システムは、パーソナルコンピュータ１０がプリンタ３０から受信した縮小画像データを拡大処理して、印刷終了通知画面に拡大した画像データを表示するようにした例である。
【００９６】
図１６はパーソナルコンピュータ１０が印刷依頼を発生してからプリンタ３０が印刷状況データを送信してパーソナルコンピュータ１０が画像表示するまでの処理内容を示すフロー図である。なお、前述した図１５のフロー図と同一処理となるステップには同じステップ番号を付している。
【００９７】
本実施の形態は、パーソナルコンピュータ１０から印刷データをプリンタ３０へ転送し、プリンタ３０が印刷状況データ及び縮小画像データをパーソナルコンピュータ１０へ送信するところまでは図１５のフロー図と同一処理であるので説明を省略する。
【００９８】
パーソナルコンピュータ１０において、ステップＱ４００，４０１の処理で印刷状況データの通知があったことを認識したならば、画像処理部１６に指示して受信縮小画像データを拡大処理する（ステップＱ４１０）。そして、図８に示すように印刷状況データと拡大画像データとが現れた印刷終了通知画面を表示部１８に表示させる（ステップＱ４１１）。
【００９９】
このような本実施の形態によれば、プリンタ３０で縮小画像データを生成し、パーソナルコンピュータ１０では受信縮小画像を拡大処理して印刷終了通知画面内に表示させるようにしたので、パーソナルコンピュータ１０で縮小画像データを作成・保存する必要性を排除できると共に、拡大画像データを表示して視認性を改善することもできる。
【０１００】
（実施の形態７）
本発明の実施の形態７に係る印刷終了通知システムついて説明する。なお、本印刷終了通知システムのネットワーク構成は図１に示す通りであり、パーソナルコンピュータ１０は図２に示す構成であり、プリンタ３０は図１４に示す構成である。
【０１０１】
本実施の形態に係る印刷終了通知システムは、パーソナルコンピュータ１０がプリンタ３０から印刷状況データと縮小画像データとを受信したら、画像表示ボタン付きの印刷終了通知画面を表示させるようにした例である。
【０１０２】
図１７はパーソナルコンピュータ１０が印刷依頼を発生してからプリンタ３０が印刷状況データを送信してパーソナルコンピュータ１０が画像表示するまでの処理内容を示すフロー図である。なお、前述した図１５のフロー図と同一処理となるステップには同じステップ番号を付している。
【０１０３】
本実施の形態は、パーソナルコンピュータ１０から印刷データをプリンタ３０へ転送し、プリンタ３０が印刷状況データ及び縮小画像データをパーソナルコンピュータ１０へ送信するところまでは図１５のフロー図と同一処理であるので説明を省略する。
【０１０４】
パーソナルコンピュータ１０において、ステップＱ４００，４０１の処理で印刷状況データの通知があったことを認識したならば、受信した印刷状況データの印刷終了通知画面を表示部１８に表示させる（ステップＱ４２０）。例えば、図１２に示すように構成された印刷終了通知画面を表示させることになる。そして、印刷終了通知画面に設けた画像表示ボタン４３が選択されたならば（ステップＱ４２１）、図５に示すような縮小画像データが現れた印刷終了通知画面に切り替える（ステップＱ４０２）。なお、縮小画像データに換えて拡大画像データを表示させるようにしても良いし、複数の縮小画像データからなる一覧画像を表示させるようにしても良い。
【０１０５】
このような本実施の形態によれば、プリンタ３０で縮小画像データを生成し、パーソナルコンピュータ１０では画像表示ボタン付きの終了通知画面を表示させるようにしたので、パーソナルコンピュータ１０で縮小画像データを作成・保存する必要性を排除できると共に、常に縮小画像データを表示させるのではなく、オペレータが画像表示ボタン４３を選択したときにだけ表示させることで画像データの表示が不要なときに画面を占有する不都合を防止できる。
【０１０６】
（実施の形態８）
本発明の実施の形態８に係る印刷終了通知システムついて説明する。なお、本印刷終了通知システムのネットワーク構成は図１に示す通りであり、パーソナルコンピュータ１０は図２に示す構成であり、プリンタ３０は図１４に示す構成である。
【０１０７】
本実施の形態に係る印刷終了通知システムは、プリンタ３０で縮小画像データを生成するシステムおいて、パーソナルコンピュータ１０から縮小画像データの有無を指定できるようにした例である。
【０１０８】
具体的には、前述した実施の形態３と同様に印刷設定情報に縮小画像データの表示を意味する「画像あり」情報と縮小画像データの非表示を意味する「画像なし」情報とを設定する。設定方法としては、図９に示す印刷設定情報を設定する画面を用意して画像ありボタン４１、画像なしボタン４２のいずれかを選択させる方式が考えられる。オペレータに印刷に先立って上記情報を設定してもらうようにする。
【０１０９】
図１８はパーソナルコンピュータ１０が印刷依頼を発生してからプリンタ３０が印刷状況データを送信してパーソナルコンピュータ１０が画像表示するまでの処理内容を示すフロー図である。パーソナルコンピュータ１０において、オペレータが文書を指定して印刷依頼を発生すると、主制御部１１によりプリンタドライバが起動され、指定文書から印刷データが作成される（ステップＳ５００）。このとき、主制御部１１は印刷設定情報をチェックして縮小画像データの表示の有無を確認する（ステップＳ５０１）。
【０１１０】
ステップＳ５０１の判定の結果、印刷設定情報に「画像あり」情報が登録されていた場合は、縮小画像データの付加を要求するデータ付加情報「有」を印刷データに設定し（ステップＳ５０２）、データ付加情報「有」と印刷データとをプリンタ３０へ転送する（ステップＳ５０４）。一方、ステップＳ５０１の判定の結果、印刷設定情報に「画像なし」情報が登録されていた場合は、縮小画像データの付加を要求しないデータ付加情報「無」を印刷データに設定し（ステップＳ５０３）、データ付加情報「無」と印刷データとをプリンタ３０へ転送する（ステップＳ５０４）。
【０１１１】
プリンタ３０では、印刷データ及びデータ付加情報を受信すると（ステップＴ５００、Ｔ５０１）、受信印刷データを記録部３４に渡して印刷を開始する（ステップＴ５０２）。制御部３１は、データ付加情報の内容をチェックして（ステップＴ５０３）、データ付加情報「有」であれば画像処理部５１に指示して印刷データから縮小画像データを作成する（ステップＳ５０４）。また、データ付加情報「無」であれば縮小画像データの作成は実行しない。作成した縮小画像データは、制御部３１がパーソナルコンピュータ１０で識別可能な識別情報を付けて転送部３５からパーソナルコンピュータ１０へ送信する（ステップＴ５０５）。また、印刷が終了したら、印刷状況データを作成し（ステップＴ５０６）、転送部３５からパーソナルコンピュータ１０へ送信する（ステップＴ５０７）。
【０１１２】
パーソナルコンピュータ１０では、データ付加情報「有」のときは縮小画像データ及び印刷状況データをそれぞれ受信し、データ付加情報「無」のときは印刷状況データだけを受信する（ステップＱ５００）。印刷状況通知が到着したことを認識すると（ステップＱ５０１）、図１９に示すように縮小画像データの有無を判定する（ステップＱ５０２）。縮小画像データも受信していれば印刷状況データ及び縮小画像データを印刷終了通知画面に表示する（スッテプＱ５０３）。また、縮小画像データを受信していない場合は、印刷状況でータだけを印刷終了通知画面に表示する（スッテプＱ５０４）。
【０１１３】
なお、縮小画像データの代わりに縮小画像データを拡大した拡大画像データを表示させるようにしても良い、複数の縮小画像データからなる一覧画像を表示させるようにしても良い。
【０１１４】
このような本実施の形態によれば、プリンタ３０で縮小画像データを生成するシステムおいて、パーソナルコンピュータ１０から縮小画像データの有無を指定できるようにしたので、オペレータが縮小画像データの表示を望まない場合にはプリンタ３０で縮小画像データを生成することを省略でき、ネットワーク上を縮小画像データが転送されることも防止できる。
【０１１５】
以上、本発明の幾つかの実施の形態について説明したが、上記各実施の形態を技術的に矛盾無く適宜組み合わせて印刷終了通知システムを構築するようにしても良い。
【０１１６】
なお、本発明において対象となる画像形成装置はプリンタ３０に限定されるものではなく、プリンタ以外の複写機、ファクシミリ装置、その他の画像形成装置にも適用可能である。また、印刷データを送信したデータ処理端末において印刷終了通知画面を表示させる場合について説明したが、印刷データを送信したデータ端末装置以外のデータ処理端末において表示するようにシステム構成することも出きる。
【０１１７】
【発明の効果】
以上詳記したように本発明によれば、複数の印刷終了通知を表示した場合であっても、どのデータについての印刷指示が終了したかを瞬時に確実にかつ用紙を浪費することなく判断できる印刷終了通知装置及び画像形成装置を提供できる。
【図面の簡単な説明】
【図１】本発明の各実施の形態に係る印刷終了通知システムが適用されるネットワーク構成図
【図２】実施の形態１の印刷終了通知システムにおけるパーソナルコンピュータの構成図
【図３】実施の形態１の印刷終了通知システムにおけるプリンタの構成図
【図４】実施の形態１の印刷終了通知システムにおける印刷終了通知画面を表示するまでのフロー図
【図５】実施の形態１における印刷終了通知画面の構成図
【図６】実施の形態１における他の印刷終了通知画面の構成図
【図７】実施の形態２の印刷終了通知システムにおける印刷終了通知画面を表示するまでのフロー図
【図８】実施の形態２における印刷終了通知画面の構成図
【図９】実施の形態３の印刷終了通知システムにおける印刷設定情報を設定するための画面の構成図
【図１０】実施の形態３において画像なしの場合の印刷終了通知画面の構成図
【図１１】実施の形態３の印刷終了通知システムにおける印刷終了通知画面を表示するまでのフロー図
【図１２】実施の形態４の印刷終了通知システムにおける印刷終了通知画面の構成図
【図１３】実施の形態４の印刷終了通知システムにおいて印刷終了通知画面を表示するまでのフロー図
【図１４】実施の形態５の印刷終了通知システムにおけるプリンタの構成図
【図１５】実施の形態５の印刷終了通知システムにおいて印刷終了通知画面を表示するまでのフロー図
【図１６】実施の形態６の印刷終了通知システムにおいて印刷終了通知画面を表示するまでのフロー図
【図１７】実施の形態７の印刷終了通知システムにおいて印刷終了通知画面を表示するまでのフロー図
【図１８】実施の形態８の印刷終了通知システムにおいて印刷終了通知画面を表示する直前までのフロー図
【図１９】実施の形態８の印刷終了通知システムにおいて印刷終了通知画面を表示する部分のフロー図
【符号の説明】
１０  パーソナルコンピュータ
１１  主制御部
１２  内部バス
１３  表示制御部
１４  操作制御部
１５  データ記憶部
１６  画像処理部
１７  転送部
１８  表示部
１９  操作部
２０  ローカルエリアネットワーク
３０  プリンタ
３１  制御部
３２  内部バス
３３  データ格納部
３４  記録部
３５  転送部
【図１】
2004199520.tif 000003
【図２】
2004199520.tif 000004
【図３】
2004199520.tif 000005
【図４】
2004199520.tif 000006
【図５】
2004199520.tif 000007
【図６】
2004199520.tif 000008
【図７】
2004199520.tif 000009
【図８】
2004199520.tif 000010
【図９】
2004199520.tif 000011
【図１０】
2004199520.tif 000012
【図１１】
2004199520.tif 000013
【図１２】
2004199520.tif 000014
【図１３】
2004199520.tif 000015
【図１４】
2004199520.tif 000016
【図１５】
2004199520.tif 000017
【図１６】
2004199520.tif 000018
【図１７】
2004199520.tif 000019
【図１８】
2004199520.tif 000020
【図１９】
2004199520.tif 000021